(57)【特許請求の範囲】
【請求項１】
コンピュータによって実現されるリンク登録サービス方法であって、
コンテンツ作成者の端末から、リンク情報の登録許容の可否を示す権限及び前記リンク情報の変更の可否を示す権限が設定された少なくとも１つのコンテンツを受信し、
リンク登録者の端末から、前記コンテンツを通じて外部ページへの接続を提供するリンク情報の登録要請を受信し、
前記権限に基づき、推薦されたコンテンツに前記登録要請されたリンク情報を登録し、
前記リンク情報が登録されたコンテンツをユーザ端末に提供し、
前記ユーザ端末から画面に表示される前記リンク情報が登録されたコンテンツが選択されることにより、前記画面を前記リンク情報に該当する外部ページに切り換える、リンク登録サービス方法。
【請求項２】
前記ユーザ端末は、
前記リンク情報が登録されたコンテンツが表示される画面に、前記リンク情報に関する情報、および前記外部ページに関する情報を表示しないこと
を特徴とする、請求項１に記載のリンク登録サービス方法。
【請求項３】
前記リンク情報を登録することは、
前記推薦されたコンテンツに前記リンク情報以外のリンク情報が事前に登録されていた場合、入札競争に基づき、前記推薦されたコンテンツに事前に登録されていたリンク情報を前記リンク情報に変更して登録すること
を特徴とする、請求項１に記載のリンク登録サービス方法。
【請求項４】
前記リンク情報を登録することは、
前記推薦されたコンテンツに前記リンク情報以外のリンク情報が事前に登録されていた場合、予め設定された基準時間まで、前記推薦されたコンテンツに事前に登録されていたリンク情報を前記リンク情報に変更せずに維持すること
を特徴とする、請求項１に記載のリンク登録サービス方法。
【請求項５】
前記リンク情報を登録することは、
前記推薦されたコンテンツに複数のリンク情報の登録が要請された場合、入札競争に基づき、前記推薦されたコンテンツに登録されるリンク情報を決めること
を特徴とする、請求項１に記載のリンク登録サービス方法。
【請求項６】
前記リンク情報を登録することは、
受信したコンテンツを対象に、前記権限に基づいてリンク情報の登録が可能なコンテンツを抽出し、
前記抽出したコンテンツを対象に、前記リンク情報と関連する検索語に該当するコンテンツを決め、
前記決まったコンテンツを前記リンク登録者の端末に提供すること
を含む、請求項１に記載のリンク登録サービス方法。
【請求項７】
前記リンク情報を登録することは、
前記決まったコンテンツのうち、前記リンク登録者の端末で選択されたコンテンツに前記リンク情報を登録すること
を特徴とする、請求項６に記載のリンク登録サービス方法。
【請求項８】
前記リンク情報を登録することは、
前記推薦されたコンテンツを構成する複数のオブジェクト（ｏｂｊｅｃｔ）を対象に、互いに異なるリンク情報を登録すること
を特徴とする、請求項１に記載のリンク登録サービス方法。
【請求項９】
前記権限が設定された少なくとも１つのコンテンツを受信することは、
前記コンテンツ作成者の端末から、前記リンク情報をコンテンツに登録が不可能なように権限が設定されたコンテンツを受信すること
を特徴とする、請求項１に記載のリンク登録サービス方法。
【請求項１０】
前記リンク情報が登録されたコンテンツが選択され、前記画面が前記外部ページに切り換わった場合、前記外部ページへのユーザ流入による課金情報を生成すること
をさらに含む、請求項１に記載のリンク登録サービス方法。
【請求項１１】
前記リンク情報が登録されたコンテンツが選択され、前記画面が前記外部ページに切り換わった場合、前記外部ページへのユーザ流入による報酬情報を生成すること
をさらに含む、請求項１に記載のリンク登録サービス方法。
【請求項１２】
コンピュータシステムがコンテンツにリンクを登録するサービスを提供するように制御する命令（ｉｎｓｔｒｕｃｔｉｏｎ）を含むコンピュータで読み取り可能な記録媒体であって、
前記命令は、
コンテンツ作成者の端末から、リンク情報の登録許容の可否を示す権限及び前記リンク情報の変更の可否を示す権限が設定された少なくとも１つのコンテンツを受信し、
リンク登録者の端末から、前記コンテンツを通じて外部ページへの接続を提供するリンク情報の登録要請を受信し、
前記権限に基づき、推薦されたコンテンツに前記登録要請されたリンク情報を登録し、
前記リンク情報が登録されたコンテンツをユーザ端末に提供すること
を含む方法によって前記コンピュータシステムを制御し、
前記ユーザ端末から画面に表示される前記リンク情報が登録されたコンテンツが選択されことにより、前記画面を前記リンク情報に該当する外部ページに切り換えること
を特徴とする、コンピュータで読み取り可能な記録媒体。
【請求項１３】
コンテンツ作成者の端末から、リンク情報の登録許容の可否を示す権限及び前記リンク情報の変更の可否を示す権限が設定された少なくとも１つのコンテンツを受信し、リンク登録者の端末から、前記コンテンツを通じて外部ページへの接続を提供するリンク情報の登録要請を受信する情報受信部、
前記権限に基づき、推薦されたコンテンツに前記登録要請されたリンク情報を登録するリンク登録部、および
前記リンク情報が登録されたコンテンツをユーザ端末に提供するサービス提供部
を備え、
前記ユーザ端末から画面に表示される前記リンク情報が登録されたコンテンツが選択されることにより、前記画面を前記リンク情報に該当する外部ページに切り換えること
を含む、リンク登録サービスシステム。
【請求項１４】
前記ユーザ端末は、
前記リンク情報が登録されたコンテンツが表示される画面に、前記リンク情報に関する情報、および前記外部ページに関する情報を表示しないこと
を特徴とする、請求項１３に記載のリンク登録サービスシステム。
【請求項１５】
前記リンク登録部は、
前記推薦されたコンテンツに前記リンク情報以外のリンク情報が事前に登録されていた場合、入札競争に基づき、前記推薦されたコンテンツに事前に登録されていたリンク情報を前記リンク情報に変更して登録すること
を特徴とする、請求項１３に記載のリンク登録サービスシステム。
【請求項１６】
前記リンク登録部は、
前記推薦されたコンテンツに前記リンク情報以外のリンク情報が事前に登録されていた場合、予め設定された基準時間まで、前記推薦されたコンテンツに事前に登録されていたリンク情報を前記リンク情報に変更せずに維持すること
を特徴とする、請求項１３に記載のリンク登録サービスシステム。
【請求項１７】
前記リンク登録部は、
受信したコンテンツを対象に、前記権限に基づいてリンク情報の登録が可能なコンテンツを抽出し、抽出したコンテンツを対象に、前記リンク情報と関連する検索語に該当するコンテンツを決め、前記決まったコンテンツを前記リンク登録者の端末に提供すること
を特徴とする、請求項１３に記載のリンク登録サービスシステム。
【請求項１８】
前記情報受信部は、
複数のリンク情報が前記コンテンツに登録要請される場合、前記コンテンツ作成者の端末から、入札競争のために利用される入札価格の範囲が指定されたコンテンツを受信すること
を特徴とする、請求項１３に記載のリンク登録サービスシステム。
【請求項１９】
前記情報受信部は、
前記コンテンツ作成者の端末から、前記リンク情報をコンテンツに登録が不可能なように権限が設定されたコンテンツを受信すること
を特徴とする、請求項１３に記載のリンク登録サービスシステム。
【請求項２０】
前記リンク情報が登録されたコンテンツが選択され、前記画面が前記外部ページに切り換わった場合、前記外部ページへのユーザ流入による課金情報または報酬情報を生成する情報生成部
をさらに備える、請求項１３に記載のリンク登録サービスシステム。
【発明の詳細な説明】
【技術分野】
【０００１】
本発明の実施形態は、コンテンツ作成者が登録したコンテンツにアウトリンク（ｏｕｔｌｉｎｋ）を設定して当該ウェブページへの接続を提供する技術に関する。
【背景技術】
【０００２】
近年、モバイルインターネット技術の発達に伴ってスマートフォンなどのユーザ端末が大衆化しており、ユーザ端末におけるモバイルインターネットの使用が増加している。
【０００３】
モバイルインターネットの発達に付随し、ユーザは、端末にインストールしたソーシャルネットワークサービス（Ｓｏｃｉａｌ  Ｎｅｔｗｏｒｋ  Ｓｅｒｖｉｃｅ）専用アプリケーションを実行することにより、知人や友達などに直接会わなくても日常を共有することができるようになった。
【０００４】
ユーザは、ＳＮＳで結ばれた友達とチャットを行うことはもちろん、写真や動画なども共有することができる。同じ関心事をもつユーザ同士がＳＮＳで近しい関係を構築するケースが増えていることから、ＳＮＳを利用した広告も増加している。
【０００５】
ＳＮＳを利用した広告モデルの一例として、特許文献１には、広告主端末機から収集した広告を許可されたユーザ端末機に提供し、提供された広告にクリックが発生することによってユーザ端末機に報酬を提供する技術が開示されている。
【先行技術文献】
【特許文献】
【０００６】
【特許文献１】韓国登録特許１０−１４３６３９０号公報
【発明の概要】
【発明が解決しようとする課題】
【０００７】
複数のコンテンツ作成者からリンク情報が設定されていないコンテンツを受信し、リンク情報のみを有しているリンク登録者からリンク情報の登録を受け、受信したコンテンツにリンク情報を登録して提供するリンク登録サービス方法、システム、および記録媒体を提供する。
【課題を解決するための手段】
【０００８】
コンピュータによって実現されるリンク登録サービス方法は、コンテンツ作成者の端末から、リンク情報の登録許容の可否を示す権限が設定された少なくとも１つのコンテンツを受信し、リンク登録者の端末から、前記コンテンツを通じて外部ページへの連結を提供するリンク情報の登録要請を受信し、前記権限に基づき、推薦されたコンテンツに前記登録要請されたリンク情報を登録し、前記リンク情報が登録されたコンテンツをユーザ端末に提供し、前記ユーザ端末から画面に表示される前記リンク情報が登録されたコンテンツが選択されることにより、前記画面を前記リンク情報に該当する外部ページに切り換えてもよい。
【０００９】
コンピュータシステムがコンテンツにリンクを登録するサービスを提供するように制御する命令（ｉｎｓｔｒｕｃｔｉｏｎ）を含むコンピュータで読み取り可能な媒体であって、前記命令は、コンテンツ作成者の端末から、リンク情報の登録許容の可否を示す権限が設定された少なくとも１つのコンテンツを受信し、リンク登録者の端末から、前記コンテンツを通じて外部ページへの接続を提供するリンク情報の登録要請を受信し、前記権限に基づき、推薦されたコンテンツに前記登録要請されたリンク情報を登録し、前記リンク情報が登録されたコンテンツをユーザ端末に提供することを含む方法によって前記コンピュータシステムを制御し、前記ユーザ端末から画面に表示される前記リンク情報が登録されたコンテンツが選択されることにより、前記画面を前記リンク情報に該当する外部ページに切り換えてもよい。
【００１０】
リンク登録サービスシステムは、コンテンツ作成者の端末から、リンク情報の登録許容の可否を示す権限が設定された少なくとも１つのコンテンツを受信し、リンク登録者の端末から、前記コンテンツを通じて外部ページへの連結を提供するリンク情報の登録要請を受信する情報受信部、前記権限に基づき、推薦されたコンテンツに前記登録要請されたリンク情報を登録するリンク登録部、および前記リンク情報が登録されたコンテンツをユーザ端末に提供するサービス提供部を備え、前記ユーザ端末から画面に表示される前記リンク情報が登録されたコンテンツが選択されることにより、前記画面を前記リンク情報に該当する外部ページに切り換えてもよい。
【発明の効果】
【００１１】
本発明の実施形態によると、複数のコンテンツ作成者からリンク情報が設定されていないコンテンツを受信し、リンク情報のみを有しているリンク登録者からリンク情報の登録を受け、受信したコンテンツに設定された権限に基づいて当該コンテンツにリンク情報を登録して提供することにより、コンテンツ上に分別なく存在するリンク情報によるサービス品質の低下を減らすことができる。
【図面の簡単な説明】
【００１２】
【図１】本発明の一実施形態における、リンク登録サービスシステムと通信する端末の概括的な様子を示した図である。
【図２】本発明の一実施形態における、コンテンツ作成者の端末で生成されるコンテンツの一例を示した図である。
【図３】本発明の一実施形態における、リンク登録サービスシステムの内部構成を説明するためのブロック図である。
【図４】本発明の一実施形態における、リンク登録サービス方法を示したフローチャートである。
【図５】本発明の一実施形態における、コンテンツを表示するユーザ端末の画面を示した図である。
【図６】本発明の一実施形態における、リンク登録サービスシステムに登録されたリンク情報を対象にして推薦コンテンツを決める動作を説明したフローチャートである。
【図７】本発明の一実施形態における、権限が設定されたコンテンツの状態を示した図である。
【図８】本発明の一実施形態における、コンテンツに登録されたリンク情報を通じて外部ページに連結する動作を説明するために提供された図である。
【図９】本発明の一実施形態における、１つのコンテンツに登録された複数のリンク情報を説明するために提供された図である。
【図１０】本発明の一実施形態における、コンテンツにリンク情報を登録することによって発生する課金情報および報酬情報を説明するために提供されたフローチャートである。
【図１１】本発明の一実施形態における、コンピュータシステムの内部構成の一例を説明するためのブロック図である。
【発明を実施するための形態】
【００１３】
以下、本発明の実施形態について、添付の図面を参照しながら詳細に説明する。
【００１４】
本実施形態は、インターネットまたはモバイルインターネット上で提供されるウェブページにて特定のコンテンツを選択した場合に、選択したコンテンツに登録されたアウトリンク（ｏｕｔｌｉｎｋ）を提供するすべてのリンク情報登録サービスシステムに適用することができる。例えば、ポータルウェブサイト、ＳＮＳ、ショッピングサイトなどで提供されるコンテンツをクリックした場合、クリックしたコンテンツに登録されたランディングページ（ｌａｎｄｉｎｇ  ｐａｇｅ）を提供するすべてのサービス分野に適用することができる。特に、本実施形態は、ハッシュタグとコンテンツを主とするＳＮＳにて、コンテンツ本来のサービス品質がリンク情報によって低下しないようにするために利用することができる。
【００１５】
本明細書において、「コンテンツ」とは、インターネットまたはモバイルインターネットを介して提供される情報であって、イメージ、動画、ゲーム、映画、ミュージックビデオ、音楽、オーディオ、音声、文字、符号などを包括したものを意味する。
【００１６】
本明細書において、「リンク情報」とは、アウトリンク（ｏｕｔｌｉｎｋ）を示すものであって、「リンク情報」には、現在のウェブページを外部ページに自動接続するためのアドレス情報（Ｕｎｉｆｏｒｍ  Ｒｅｓｏｕｒｃｅ  Ｌｏｃａｔｏｒ：ＵＲＬ）が含まれてもよい。「外部ページ」は、リンク情報が登録されたコンテンツと関連する詳細情報を含み、リンク登録サービスシステム以外の外部サーバから提供されるウェブページであって、外部ページの一例としては、ランディングページ（ｌａｎｄｉｎｇ  ｐａｇｅ）が挙げられる。
【００１７】
本明細書において、コンテンツ作成者の端末、リンク登録者の端末およびユーザ端末とは、ＰＣ、スマートフォン（ｓｍａｒｔ  ｐｈｏｎｅ）、タブレット（ｔａｂｌｅｔ）、ノート型パンコンなどであって、コンピュータ処理機能を備えるすべての端末を意味する。以下では、各端末の主要役割にしたがい、コンテンツ作成者の端末、リンク登録者の端末およびユーザ端末に区分して説明する。
【００１８】
本明細書において、「ハッシュタグ（ｈａｓｈ  ｔａｇ）」とは、予め指定しておいた記号の後ろに特定の単語を入れることによって特定の主題に対する単語であることを表現するものであって、例えば「＃フィギュア」とした場合には、この単語はフィギュアに関連するものであることを意味する。
【００１９】
図１は、本発明の一実施形態における、リンク登録サービスシステムと通信する端末の概括的な様子を示した図である。図１では、リンク登録サービスシステム１００、コンテンツ作成者の端末１１０、リンク登録者の端末１２０およびユーザ端末１３０を示している。図１では、コンテンツ作成者の端末１１０、リンク登録者の端末１２０およびユーザ端末１３０が１つである場合を例示的に示しているが、これは一例に過ぎず、リンク登録サービスシステム１００と通信するコンテンツ作成者の端末１１０、リンク登録者の端末１２０およびユーザ端末１３０は複数が存在してもよい。
【００２０】
図１に示す双方向矢印は、リンク登録サービスシステム１００と、コンテンツ作成者の端末１１０、リンク登録者の端末１２０、ユーザ端末１３０との間で有線／無線ネットワークを介してデータが送受信されることを意味している。
【００２１】
コンテンツ作成者の端末１１０、リンク登録者の端末１２０およびユーザ端末１３０は、ＰＣ、スマートフォン（ｓｍａｒｔ  ｐｈｏｎｅ）、タブレット（ｔａｂｌｅｔ）、ノート型パンコンなどであって、リンク登録サービスシステム１００と関連のあるウェブ／モバイルサイトへの接続、またはサービス専用アプリケーション（以下、「サービスアプリ」と称する。）のインストールおよび実行が可能なすべての端末装置を意味する。ここで、コンテンツ作成者の端末１１０、リンク登録者の端末１２０、およびユーザ端末１３０は、ウェブ／モバイルサイトへの接続またはサービスアプリの制御下で、サービス画面の構成、データ入力、データ送受信、データ格納などのようなサービス全般の動作を実行する。
【００２２】
コンテンツ作成者の端末１１０は、イメージや動画などのコンテンツを生成し、生成したコンテンツをリンク登録サービスシステム１００にアップロードしてもよい。このとき、コンテンツ作成者の端末１１０は、リンク情報を何も含んでいないコンテンツをリンク登録サービスシステム１００にアップロードしてもよい。例えば、コンテンツ作成者の端末１１０は、リンク登録サービスシステム１００と関連のあるウェブ／モバイルサイトに接続したり、コンテンツ作成者の端末１１０にインストールされたサービスアプリを実行したりすることによって形成されたユーザインタフェースを利用することで、前記生成したコンテンツをリンク登録サービスシステム１００に送信してもよい。
【００２３】
リンク登録者の端末１２０は、リンク登録サービスシステム１００にアップロードされたコンテンツを対象とし、登録しようとする１つ以上のリンク情報の登録をリンク登録サービスシステム１００に要請し、要請したリンク情報をリンク登録サービスシステム１００に送信してもよい。例えば、リンク登録者の端末１２０は、リンク登録サービスシステム１００と関連のあるウェブ／モバイルサイトに接続したり、端末１２０にインストールされたサービスアプリを実行したりすることによって形成されたユーザインタフェースを利用して１つ以上のリンク情報の登録をリンク登録サービスシステム１００に要請し、前記ユーザインタフェースを利用して当該リンク情報をリンク登録サービスシステム１００に送信してもよい。
【００２４】
ここで、リンク情報とは、アウトリンク（ｏｕｔｌｉｎｋ）であって、リンク情報が登録されたコンテンツが選択された場合に、選択されたコンテンツと関連のあるランディングページ（ｌａｎｄｉｎｇ  ｐａｇｅ）に接続するためのＵＲＬを含んでもよい。１つのリンク登録者の端末１２０から複数のリンク情報の登録が要請されてもよい。
【００２５】
リンク登録サービスシステム１００は、クライアント（ｃｌｉｅｎｔ）であるコンテンツ作成者の端末１１０、リンク登録者の端末１２０およびユーザ端末１３０を対象にしてソーシャルネットワークサービス（ＳＮＳ）を提供するサービスプラットフォームの役割をする。特に、リンク登録サービスシステム１００は、コンテンツ作成者の端末１１０、リンク登録者の端末１２０およびユーザ端末１３０に、ソーシャルネットワークサービスを通じてコンテンツやリンク情報などを登録するためのサービスを提供するためにユーザインタラクション（ｉｎｔｅｒａｃｔｉｏｎ）が入力されるユーザインタフェースを提供してもよい。ここで、リンク登録サービスシステム１００は、ユーザ端末１３０上にアプリケーション形態で実現されてもよいが、これに限定されることはなく、クライアント−サーバ環境でソーシャルネットワークサービスなどを提供するサービスプラットフォームに含まれる形態で実現されてもよい。
【００２６】
リンク登録サービスシステム１００は、コンテンツ作成者の端末１１０から権限が設定されたコンテンツを受信し、リンク登録者の端末１２０からリンク情報の登録要請および要請されたリンク情報を受信してもよい。リンク登録サービスシステム１００は、コンテンツに設定された権限を確認し、受信したコンテンツのうちでリンク登録者の端末１２０に推薦するコンテンツを決め、決まったコンテンツのうちでリンク登録者の端末１２０によって選択されたコンテンツに、リンク登録者の端末１２０から登録要請されたリンク情報を登録してもよい。例えば、コンテンツ１が選択された場合に、リンク登録サービスシステム１００は、コンテンツ１をクリックすれば外部ページ（例えば、ランディングページ）に接続されるように、リンク登録者の端末１２０から提供されたリンク情報１をコンテンツ１に登録してもよい。なお、コンテンツに設定される権限についての詳細は、後述する。
【００２７】
このように、リンク登録サービスシステム１００は、ＳＮＳやブログなどにアップロードされたコンテンツを対象としてリンク登録者の端末１２０から受信したリンク情報を登録させる仲介の役割をなすことができ、リンク登録者の端末１２０は、コンテンツを直接生成しなくても、自身が所望するランディングページと関連をもつリンク情報を所望するコンテンツに登録させることができる。言い換えれば、リンク登録者の端末１２０は、特定のコンテンツを選択（例えば、クリックやタッチなど）したときのアウトランディング（ｏｕｔ  ｌａｎｄｉｎｇ）をリンク登録サービスシステム１００から購入することができる。
【００２８】
ユーザ端末１３０は、リンク登録サービスシステム１００と関連のあるウェブ／モバイルサイトに接続したり、ユーザ端末１３０にインストールされたサービスアプリを実行したりすることにより、リンク登録サービスシステム１００に登録されたコンテンツを含むウェブページをユーザ端末１３０の画面に表示してもよい。ここで、ユーザ端末１３０でリンク情報が登録されたコンテンツが選択されると、ユーザ端末１３０の画面は、選択されたコンテンツに登録されたリンク情報に該当する外部ページに切り換わってもよい。ユーザ端末１３０は、リンク登録者の端末１２０またはコンテンツ作成者の端末１１０になってもよいし、リンク登録サービスシステム１００と関連のあるウェブ／モバイルサイトに接続したり、サービスアプリを実行したりするすべての端末になってもよい。
【００２９】
図２は、本発明の一実施形態における、コンテンツ作成者の端末で生成されるコンテンツの一例を示した図である。
【００３０】
コンテンツ作成者の端末２００は、イメージ、動画、ミュージックビデオなどのコンテンツを１つ以上生成してもよい。コンテンツ作成者の端末２００は、自身が生成したコンテンツに、他の端末（例えば、リンク登録者の端末）でリンク情報の登録を許容するか否か、および登録されているリンク情報を変更するか否かを示す権限を設定してもよい。
【００３１】
一例として、コンテンツ作成者の端末２００は、コンテンツ１〜コンテンツ３を生成することもあるし、Ｎ個のコンテンツを生成することもある。ここで、コンテンツ１〜３をリンク登録サービスシステム１００に送信しようとした場合、コンテンツ作成者の端末２００は、リンク情報の登録を許容するか否かを示す表示情報、およびリンク情報の変更を許容するか否かを示す表示情報を利用して当該コンテンツに権限を設定してもよい。
【００３２】
例えば、リンク情報の登録を許容する場合、コンテンツ作成者の端末２００に表示されるコンテンツアップロード画面２１０でコンテンツ２およびコンテンツ３の表示情報（２０２、２０３）が選択されることにより、コンテンツ２とコンテンツ３には、リンク情報の登録を許容するという権限が設定されるようになる。コンテンツ１の表示情報（２０１）が選択されなかった場合、コンテンツ１には、リンク情報の登録を許容しないという権限が設定されるようになる。さらに、コンテンツ作成者の端末２００は、当該コンテンツに登録されているリンク情報を変更するように許容するか否かを設定してもよい。例えば、コンテンツ２の表示情報（２０５）が選択されることにより、コンテンツ作成者の端末２００は、コンテンツ２に、登録されているリンク情報が入札競争などによって変更可能なように許容する権限を設定してもよい。コンテンツ１およびコンテンツ３の表示情報（２０４、２０６）が選択されなかった場合、コンテンツ作成者の端末２００は、コンテンツ１およびコンテンツ３に、リンク情報の変更が不可能であることを示す権限を設定してもよい。
【００３３】
言い換えれば、コンテンツ作成者がコンテンツを他の用途として利用されたくなく、自身が作成した固有の状態のままで提供されることを望む場合、コンテンツ作成者の端末２００は、コンテンツ１のように、リンク情報の登録を許容しないことに加え、リンク情報の変更も許容しないように権限を設定することができる。また、コンテンツ作成者の端末２００は、コンテンツ２のように、他の端末がアップロードしたリンク情報をコンテンツに登録するように許容することに加え、コンテンツに登録されているリンク情報も他の端末がアップロードしたリンク情報に変更できるように権限を設定することもできる。さらに、コンテンツ作成者の端末２００は、コンテンツ３のように、リンク情報の登録は許容するが、リンク情報は変更できないように権限を設定することにより、特定のユーザにコンテンツ３の独占権を付与することもできる。
【００３４】
図３は、本発明の一実施形態における、リンク登録サービスシステムの内部構成を説明するためのブロック図であり、図４は、本発明の一実施形態における、リンク登録サービス方法を示したフローチャートである。
【００３５】
本実施形態に係るリンク登録サービスシステム３００は、プロセッサ３１０、バス３２０、ネットワークインタフェース３３０、データベース３４０、およびメモリ３５０を備えてもよい。メモリ３５０は、オペレーティングシステム３５１およびサービス提供ルーチン３５２を含んでもよい。プロセッサ３１０は、情報受信部３１１、リンク登録部３１２、サービス提供部３１３および情報生成部３１４を含んでもよい。他の実施形態において、リンク登録サービスシステム３００は、図３の構成要素よりもさらに多くの構成要素を備えてもよい。しかし、大部分の従来の技術的な構成要素を明確に図に示す必要はない。例えば、リンク登録サービスシステム３００は、ディスプレイやトランシーバ（ｔｒａｎｓｃｅｉｖｅｒ）のような他の構成要素を含んでもよい。
【００３６】
メモリ３５０は、コンピュータで読み取り可能な記録媒体であって、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、およびディスクドライブのような永久大容量記録装置（ｐｅｒｍａｎｅｎｔ  ｍａｓｓ  ｓｔｏｒａｇｅ  ｄｅｖｉｃｅ）を含んでよい。また、メモリ３５０には、オペレーティングシステム３５１およびサービス提供ルーチン３５２のためのプログラムコードが格納されてもよい。このようなソフトウェア構成要素は、ドライブメカニズム（ｄｒｉｖｅ  ｍｅｃｈａｎｉｓｍ）（図示せず）を利用してメモリ３５０とは別のコンピュータで読み取り可能な記録媒体からロードされてもよい。このような別のコンピュータで読み取り可能な記録媒体は、フロッピ（登録商標）ドライブ、ディスク、テープ、ＤＶＤ／ＣＤ−ＲＯＭドライブ、メモリカードなどのコンピュータで読み取り可能な記録媒体（図示せず）を含んでよい。他の実施形態において、ソフトウェア構成要素は、コンピュータで読み取り可能な記録媒体ではないネットワークインタフェース３３０を利用してメモリ３５０にロードされてもよい。
【００３７】
バス３２０は、リンク登録サービスシステム３００の構成要素間の通信およびデータ送信を可能にする。バス３２０は、高速シリアルバス、パラレルバス、ＳＡＮ（Ｓｔｏｒａｇｅ  Ａｒｅａ  Ｎｅｔｗｏｒｋ）、および／または他の適切な通信技術を利用して構成されてもよい。
【００３８】
ネットワークインタフェース３３０は、リンク登録サービスシステム３００をコンピュータネットワークに接続するためのコンピュータハードウェア構成要素であってよい。ネットワークインタフェース３３０は、リンク登録サービスシステム３００を無線または有線接続を介してコンピュータネットワークに接続させてもよい。
【００３９】
データベース３４０は、権限が設定されたコンテンツと、当該コンテンツをアップロードしたコンテンツ作成者の端末１１０のＩＤとをマッチングさせて格納および管理してもよい。データベース３４０は、リンク情報と、当該リンク情報をアップロードしたリンク登録者の端末１２０のＩＤとをマッチングさせて格納および管理してもよい。ここで、コンテンツ作成者の端末１１０のＩＤやリンク登録者の端末１２０のＩＤは、ＭＡＣアドレスなどである。さらに、リンク情報が特定のコンテンツに登録された場合、データベース３４０は、リンク情報の識別情報と登録された特定のコンテンツの識別情報とをマッチングさせて格納および管理してもよい。このとき、１つのコンテンツに複数のリンク情報が登録されてもよい。
【００４０】
データベース３４０は、リンク登録サービスシステム３００内に含まれてもよいし、必要によっては、ユーザ端末１３０またはこの両者すべてに含まれてもよいし、リンク登録サービスシステム３００とは別の他のシステム上に構築された外部データベースとして存在してもよい。
【００４１】
プロセッサ３１０は、基本的な算術、ロジック、およびリンク登録サービスシステム３００の入出力演算を実行することにより、コンピュータプログラムの命令を処理するように構成されてもよい。命令は、メモリ３５０またはネットワークインタフェース３３０によって、バス３２０を介してプロセッサ３１０に提供されてもよい。プロセッサ３１０は、情報受信部３１１、リンク登録部３１２、サービス提供部３１３および情報生成部３１４のためのプログラムコードを実行するように構成されてよい。このようなプログラムコードは、メモリ３５０のような記録装置に格納されてもよい。
【００４２】
情報受信部３１１、リンク登録部３１２、サービス提供部３１３および情報生成部３１４は、図４のステップ４１０〜ステップ４４０、図６のステップ６１０〜ステップ６４０、および図１０のステップ１０１０〜ステップ１０２０を実行するために構成されてもよい。
【００４３】
ステップ４１０で、情報受信部３１１は、コンテンツ作成者の端末１１０から、リンク情報の登録許容の可否および変更の可否を示す権限が設定されたコンテンツを１つ以上受信してもよい。このとき、コンテンツには権限が設定されているだけで、リンク情報は何も登録されていない状態で受信されてもよい。
【００４４】
ステップ４２０で、情報受信部３１１は、リンク登録者の端末１２０から、１つ以上のリンク情報の登録要請を受信してもよく、要請されたリンク情報を受信してもよい。情報受信部３１１は、リンク登録者の端末１２０からＵＲＬ情報が含まれたリンク情報を受信するだけで、イメージ、動画、音楽などのコンテンツは受信されなくてもよい。
【００４５】
例えば、情報受信部３１１は、ユーザ端末１３０でコンテンツ１がクリック（ｃｌｉｃｋ）された場合に、ユーザ端末１３０を外部ページ（例えば、ランディングページ）に接続させるためのＵＲＬ情報が含まれたアウトリンクを受信してもよい。このとき、リンク登録者が、１つのコンテンツに含まれたオブジェクト（ｏｂｊｅｃｔ）別に異なるリンク情報を登録するために複数のリンク情報それぞれに対する登録を要請した場合、リンク登録部３１２は、１つのコンテンツを対象として登録が要請された複数のリンク情報を登録してもよい。なお、オブジェクト毎に識別子を有し、オブジェクトの識別子とコンテンツの識別子とを対応させて管理する。例えば、リンク登録者がリンクを登録しようとするオブジェクトをタッチすると、イメージプロセッサによって、タッチされた地点に相当するオブジェクトが認識され、当該オブジェクトにリンク情報を登録することができる。
【００４６】
ステップ４３０で、リンク登録部３１２は、コンテンツ作成者の端末１１０で生成されたコンテンツに、リンク登録者の端末１２０から受信したリンク情報を登録してもよい。
【００４７】
例えば、リンク登録部３１２は、受信したコンテンツを対象に、リンク登録者の端末１２０から登録要請されたリンク情報を登録するためのコンテンツを決めてもよい。もっとも、リンク登録部３１２がリンク情報を登録することができるコンテンツは、リンク情報の登録を許容する権限が設定されたコンテンツである。そこで、リンク登録部３１２は、コンテンツ作成者の端末１１０で作成されたコンテンツにリンク情報の登録を許容する権限が設定されているかどうかの判定を行い、当該権限が設定されているコンテンツにリンク情報を登録する。また、リンク登録部３１２は、決まったコンテンツをリンク登録者の端末１２０に推薦してもよい。ここで、リンク登録部３１２は、１つ以上のコンテンツを推薦コンテンツとして決め、推薦コンテンツのうちでリンク登録者の端末１２０によって選択されたコンテンツに当該リンク情報を登録してもよい。
【００４８】
ステップ４４０で、サービス提供部３１３は、権限にしたがってリンク情報が登録されたコンテンツ、およびリンク情報が登録されていないコンテンツをユーザ端末１３０に提供してもよい。例えば、ユーザ端末１３０の画面には、コンテンツ作成者の端末１１０からリンク登録サービスシステム３００にアップロードされたコンテンツが表示されてもよいが、前記コンテンツは、設定された権限にしたがい、リンク情報が登録されたコンテンツであってもよいし、リンク情報が登録されていないコンテンツであってもよい。このとき、ユーザ端末１３０の画面にはコンテンツだけが表示され、コンテンツに登録されたリンク情報に関する情報または外部ページに関する情報は表示されなくてもよい。
【００４９】
図５は、本発明の一実施形態における、コンテンツを表示するユーザ端末の画面を示した図である。
【００５０】
図５によると、ユーザ端末の画面５００は、コンテンツ作成者の端末１１０で設定された権限にしたがい、リンク情報が登録されているコンテンツ及びリンク情報が登録されていないコンテンツが配置されるコンテンツ領域５１０、配置されたコンテンツの主題を示すハッシュ情報が配置される領域５２０を含んでもよい。この例では、ハッシュ情報は、「フィギュアマニア」である。
【００５１】
ここで、当該コンテンツにリンク情報が登録されていたとしても、コンテンツ領域５１０にはコンテンツ自体が表示されるだけで、リンク情報に関する情報または外部ページに関する情報は表示されなくてもよい。すなわち、コンテンツ領域５１０には、リンク情報が登録されているコンテンツやリンク情報が登録されていないコンテンツ、コンテンツ固有の情報（例えば、イメージ）だけが表示されるようになる。これにより、ユーザは、コンテンツ領域５１０に表示されるコンテンツをクリックするまでは、当該コンテンツにリンク情報が登録されているのか、あるいは登録されていないのかを視覚的に確認することはできない。
【００５２】
一例として、コンテンツ１（５１１）にはリンク情報１が登録されており、コンテンツ２（５１２）にはリンク情報が何も登録されていない場合、画面には、コンテンツ作成者の端末１１０で生成されたコンテンツ１およびコンテンツ２（例えば、イメージ１およびイメージ２）が同じように表示されるだけで、コンテンツ１のリンク情報、またはコンテンツ１をクリックすることによって接続される外部ページに関する情報（例えば、外部ページの内容を要約した情報）は、コンテンツ１上に表示されなくてもよい。これにより、ユーザ端末でコンテンツ１が選択されて画面が外部ページに切り換わって初めて、ユーザはコンテンツ１にリンク情報が設定されていることを確認することができる。ユーザ端末でコンテンツ２が選択された場合には、ユーザ端末は、画面５００を切り換えずにそのまま維持して表示してもよい。
【００５３】
このように、コンテンツだけが表示され、登録されているリンク情報は表示されないことにより、コンテンツのサービス品質が低下（例えば、イメージ上にリンク情報が表示されることで固有のイメージが毀損される現象）することを減らすことができる。
【００５４】
図６は、本発明の一実施形態における、リンク登録サービスシステムに登録されたリンク情報を対象にして推薦コンテンツを決める動作を説明するためのフローチャートである。
【００５５】
ステップ６１０で、リンク登録部３１２は、コンテンツ作成者の端末１１０から受信したコンテンツを対象に、各コンテンツに設定された権限に応じて、リンク情報の登録が許容されたコンテンツを抽出してもよい。具体的には、リンク登録部３１２は、受信したコンテンツからリンク情報の登録を許容するか否かを示す情報を抽出した上で、リンク情報の登録を許容する情報を有するコンテンツを抽出してもよい。
【００５６】
ステップ６２０で、リンク登録部３１２は、抽出したコンテンツを対象に、当該コンテンツに設定されたフォロワ（ｆｏｌｌｏｗｅｒ）数、クリック数（Ｃｌｉｃｋ  Ｔｈｒｏｕｇｈ  Ｒａｔｉｏ：ＣＴＲ）、コメント数（例えば、文字やイメージ）、およびリンク情報と関連する検索語に基づいて推薦コンテンツを決めてもよい。
【００５７】
一例として、リンク登録者の端末１２０は、リンク情報を登録するために提供される画面において、検索ウィンドウにコンテンツの属性情報（例えば、「フィギュア」）を検索語として入力してリンク登録サービスシステム３００に送信してもよい。これにより、情報受信部３１１は、リンク情報を受信しながら、前記コンテンツの属性情報（例えば、「フィギュア」）を共に受信してもよい。リンク登録部３１２は、前記抽出したコンテンツを対象に、コンテンツの属性情報が「フィギュア」に該当するコンテンツを推薦コンテンツとして決めてもよい。ここで、リンク登録部３１２は、コンテンツ作成者の端末１１０からコンテンツを受信したときに共に受信した当該コンテンツのハッシュタグ（ｈａｓｈ  ｔａｇ）に基づいて前記属性情報に該当する推薦コンテンツを決めてもよい。例えば、リンク登録部３１２は、前記抽出したコンテンツのハッシュタグを対象とし、「フィギュア」が含まれたコンテンツを推薦コンテンツとして決めてもよい。
【００５８】
リンク登録部３１２は、前記決まった推薦コンテンツをリンク登録者の端末１２０に提供してもよい。これにより、リンク登録者の端末１２０は、前記推薦コンテンツを画面に表示してもよい。
【００５９】
ステップ６３０で、リンク登録部３１２は、前記推薦コンテンツを対象に、前記リンク登録者の端末１２０で選択されたコンテンツに登録要請されたリンク情報を登録してもよい。
【００６０】
一例として、前記リンク登録者の端末１２０にコンテンツ１〜４が推薦コンテンツとして提供され、前記コンテンツのうち、リンク情報１を登録しようとするコンテンツとしてコンテンツ１が選択された場合、リンク登録部３１２は、コンテンツ１にリンク情報１を登録してもよい。例えば、リンク登録部３１２は、リンク情報１の識別子情報と前記選択されたコンテンツ１の識別子情報とをマッチングさせて格納することで、コンテンツ１にリンク情報１を登録してもよい。
【００６１】
ここで、前記決まった推薦コンテンツの数が予め設定された推薦数以上となり、１つの画面に表示するのが困難なほどに多い場合に、リンク登録部３１２は、各推薦コンテンツに設定されたフォロワ数、クリック数、およびコメント数に基づいて推薦コンテンツをフィルタリングしてもよい。例えば、リンク登録部３１２は、推薦コンテンツを対象に、フォロワの数が多いとかクリック数が多い順に整列させ、整列させた推薦コンテンツのうちから前記推薦数のコンテンツを抽出してリンク登録者の端末１２０に提供してもよい。リンク登録部３１２は、提供を受けた推薦コンテンツのうち、リンク登録者の端末１２０で選択されたコンテンツに当該リンク情報を登録してもよい。このとき、リンク登録部３１２は、フォロワ数、クリック数、およびコメント数のうちの少なくとも１つを組み合わせてフィルタリングを行ってもよいし、フォロワ数、クリック数、およびコメント数それぞれに互いに異なる加重値を適用してフィルタリングを行ってもよい。
【００６２】
ここで、コンテンツに登録されたリンク情報は、各コンテンツに設定された権限にしたがって他のリンク情報に変更されてもよい。
【００６３】
図７は、本発明の一実施形態における、権限が設定されたコンテンツの状態を示した図である。
【００６４】
図７によると、コンテンツ２とコンテンツ４は、リンク情報の変更が可能なように権限が設定されたコンテンツであり、コンテンツ１およびコンテンツ３は、リンク情報の変更が不可能なように権限が設定されたコンテンツを示している。
【００６５】
コンテンツ１には、いかなるリンク情報の登録も許容しないように権限が設定されているため、登録されているリンク情報は存在しない。
【００６６】
コンテンツ３は、リンク情報の登録が許容されるように権限が設定されたコンテンツであって、リンク登録サービスシステム３００でリンク登録者の端末１２０から登録要請されたリンク情報が登録された状態を有してもよい。コンテンツ３には、リンク情報の登録が変更できないように権限が設定されることにより、リンク登録部３１２は、他のリンク登録者の端末からコンテンツ３を対象にしてリンク情報の登録が要請されたとしても、前記登録されたリンク情報を変更することはできない。このように、コンテンツ３は、特定のリンク登録者の端末１２０がコンテンツ３の使用権限を独占的に持つことができる。
【００６７】
このとき、前記コンテンツ３の使用権限に対する時間制限が存在してもよい。例えば、１時間、１２時間、１日、１週間などのように予め設定された基準時間内には前記コンテンツ３に登録されたリンク情報の変更が不可能であり、リンク登録部３１２は、前記基準時間が経過した後には、前記コンテンツ３を対象にしてリンク情報の登録を要請した他のリンク登録者の端末に独占的使用権限を付与してもよい。すなわち、リンク登録部３１２は、前記基準時間まではコンテンツ３に登録されたリンク情報が変更されないまま保たれるようにリンクを保障するが、前記基準時間が経過した後には、コンテンツ３に登録されたリンク情報を他のリンク登録者の端末から要請されたリンク情報に変更してもよい。ここで、基準時間は、リンク登録者の端末１２０からの入力によって設定されてもよい。
【００６８】
ここで、リンク登録部３１２は、入札競争に基づいてコンテンツ３に対する独占的使用権限を付与してもよい。例えば、リンク登録部３１２は、コンテンツ３を対象にしてリンク情報の登録を要請したリンク登録者の端末を対象に、高い入札価格を提示したリンク登録者の端末に前記独占的使用権限を付与してもよい。これにより、リンク登録部３１２は、独占的使用権限が付与されたリンク登録者の端末から登録要請されたリンク情報を前記コンテンツ３に変更して登録してもよい。なお、リンク登録者の端末による入札には、時間制限を設けてもよい。すなわち、リンク登録者の端末による入札は、所定の期間においてしかできず、当該所定の期間において、最も高い入札価格を提示したリンク登録者の端末に独占的使用権限を付与する。ここで、所定の期間の起算点は、コンテンツ作成者の端末１１０からコンテンツ３を受信したときであってもよいし、最初のリンク登録者の端末による入札があったときであってもよい。
【００６９】
再び図７において、コンテンツ２は、リンク情報の変更が可能なように権限が設定されているが、登録されているリンク情報はないコンテンツを示している。コンテンツ２は、リンク情報が登録されていない状態から、リンク登録者１によってリンク情報１が登録された後でも、コンテンツ２に設定されたリンク情報１が他のリンク登録者によって要求された他のリンク情報に変更することが可能である。すなわち、入札競争によってリアルタイムでリンク情報の登録を変更することのできるコンテンツであることを意味する。
【００７０】
例えば、複数のリンク登録者の端末からコンテンツ２を対象にリンク情報の登録が要請され、端末１が最も高い入札価格を提示した場合、リンク登録部３１２は、複数のリンク登録者の端末のうちで最高の入札価格を提示した端末１が登録要請したリンク情報１をコンテンツ２に登録してもよい。ここで、端末２から端末１よりも高い入札価格が提示された場合に、リンク登録部３１２は、前記コンテンツ２に登録されていたリンク情報１を、端末２が登録要請したリンク情報２に変更して登録してもよい。同じ方法により、リンク登録部３１２は、リアルタイム入札競争によってコンテンツ２に関するリンク情報の登録を変更してもよい。
【００７１】
コンテンツ４は、事前にリンク情報が登録されている状態から、登録されていたリンク情報を、リアルタイム入札競争によって他のリンク登録者の端末から要請されたリンク情報に変更できることを示すものであって、コンテンツ２に既にリンク情報が登録されている状態でリアルタイム入札競争を行うのと同じであるため、重複する説明は省略する。
【００７２】
ここで、コンテンツ２および４のように、リアルタイム入札競争を行うように権限が設定されている場合でも、リンク登録部３１２は、登録されているリンク情報を一定時間だけ維持することを保障してもよい。例えば、リンク登録部３１２は、５分、１０分、２０分、３０分などのように予め設定された一定時間内には、前記コンテンツ２および４に登録されたリンク情報が変更されることなく維持されるように保障してもよいが、前記一定時間は、コンテンツ３に適用される基準時間よりは小さな値で事前に設定されてもよい。ここで、一定時間は、コンテンツ作成者の端末１１０またはリンク登録サービスシステム３００によって設定されてもよい。
【００７３】
一方、コンテンツ作成者の端末１１０は、リンク情報の登録を許容するように権限が設定されたコンテンツを対象に、当該コンテンツの入札競争時に適用しようとする入札価格範囲を設定してもよい。さらに、コンテンツ作成者の端末１１０は、設定された入札価格範囲をリンク登録サービスシステム３００に送信してもよい。
【００７４】
例えば、コンテンツ２および４のように、入札競争によって登録されるリンク情報を決める場合、リンク登録部３１２は、コンテンツ２および４に設定された入札価格範囲に基づいてリンク登録者の端末から当該コンテンツに対する入札価格を受信してもよい。入札価格範囲は、最小入札価格および最大入札価格を含んでもよいし、最小入札価格だけを含んでもよい。このように、入札価格範囲が設定された場合に、リンク登録部３１２は、特定のコンテンツに対するリンク情報の登録を要請したリンク登録者の端末それぞれに入札価格範囲を提供してもよい。さらに、リンク登録部３１２は、リンク登録者の端末から受信した入札価格に基づいて当該コンテンツに登録されるリンク情報を決めてもよい。
【００７５】
図８は、本発明の一実施形態における、コンテンツに登録されたリンク情報を通じて外部ページに接続する動作を説明するために提供された図である。
【００７６】
図８によると、ユーザ端末の画面８００には、リンク情報が登録されているコンテンツ及び／またはリンク情報が登録されていないコンテンツが表示されている。このとき、ユーザ端末のユーザが、リンク情報が登録されているコンテンツ１（８０１）をクリックまたはタッチして選択した場合、ユーザ端末１３０は、選択されたコンテンツ１（８０１）の識別子情報をリンク登録サービスシステム３００に送信してもよい。これにより、リンク登録サービスシステム３００は、データベースから前記コンテンツ１（８０１）の識別子情報とマッチングしているリンク情報１の識別子情報を検索し、検索された識別子情報に該当するリンク情報１をユーザ端末１３０に送信してもよい。
【００７７】
一例として、ユーザ端末１３０は、リンク情報１に含まれたＵＲＬを受信してもよく、受信したＵＲＬに基づき、前記画面８００をＵＲＬが示す外部ページ８１０に切り換えて表示してもよい。例えば、外部ページ８１０が、象のフィギュアイメージのコンテンツ１（８０１）と関連のある詳細情報を提供するランディングページであるとする。外部ページ８１０は、前記画面８００に表示された象のフィギュアイメージと同じイメージまたは類似するイメージが表示される領域８１１、象のフィギュアを販売する販売者情報（ウェブサイト名など）が表示される領域８１２、象のフィギュアを購入するための購入情報が表示される領域８１３などを含んでもよい。
【００７８】
図９は、本発明の一実施形態における、１つのコンテンツに登録された複数のリンク情報を説明するために提供された図である。
【００７９】
図９によると、ユーザ端末の画面９００に表示されるコンテンツのうち、コンテンツ１（９１０）には１つのリンク情報が登録されており、コンテンツ２（９２０）には複数の互いに異なるリンク情報が登録されている。ここで、コンテンツ２（９２０）に含まれているオブジェクト（ｏｂｊｅｃｔ）別に、互いに異なるリンク情報が登録されてもよい。
【００８０】
例えば、オブジェクト１（９２１）には帽子と関連するリンク情報が登録され、オブジェクト２（９２２）にはＴシャツと関連するリンク情報が登録され、オブジェクト３（９２３）にはズボンと関連するリンク情報が登録されてもよい。ここで、オブジェクト１〜３それぞれに登録されたリンク情報は、同じリンク登録者の端末から受信した情報であってもよいし、それぞれ異なるリンク登録者の端末から受信した情報であってもよい。
【００８１】
言い換えれば、オブジェクト１〜３それぞれに登録されたリンク情報に該当する販売サイトは同じであるが、ランディングページだけが異なってもよいし、オブジェクト１〜３それぞれに登録されたリンク情報に該当する販売サイトが互いに異なるサイトであってもよい。
【００８２】
図１０は、本発明の一実施形態における、コンテンツにリンク情報を登録することによって発生する課金情報および報酬情報を説明するために提供されたフローチャートである。
【００８３】
ステップ１０１０で、ユーザ端末の画面に表示されたコンテンツのうち、リンク情報が登録されているコンテンツが選択された場合、情報生成部３１４は、コンテンツを通じてリンク情報に該当する外部ページにユーザを流入させた対価として課金情報を生成してもよい。
【００８４】
例えば、情報生成部３１４は、前記コンテンツを通じて外部ページに流入したユーザの数が多いほど、高い広告費用を請求する課金情報を生成してもよい。この他にも、情報生成部３１４は、前記コンテンツを通じて進入した外部ページでの品物購入の可否、流入したユーザ端末の外部ページへの会員加入の可否、外部ページ関連アプリケーションのインストールの可否などに基づいて加重値を適用して課金情報を生成してもよい。
【００８５】
さらに、情報生成部３１４は、リンク情報が登録されたコンテンツが選択されるたびに、当該コンテンツを作成したコンテンツ作成者の端末１１０のための報酬情報を生成してもよい。例えば、情報生成部３１４は、コンテンツを通じてユーザを外部ページに流入させた報酬として、リンク登録サービスシステム３００と関連のあるサービスアプリで利用可能なマイレージの積立、ポイントの積立、サイバーマネー、クーポン、物理的商品（例えば、商品券）などの報酬情報を生成してもよい。前記報酬情報は、リンク登録者の端末に付加される課金情報の一定の割合に基づいて生成されてもよい。例えば、課金情報が１０である場合には、課金情報の１％などの割合で報酬が適用されるように報酬情報を生成してもよい。
【００８６】
ステップ１０２０で、情報生成部３１４は、生成された課金情報をリンク登録者の端末に提供し、生成された報酬情報をコンテンツ作成者の端末に提供してもよい。
【００８７】
例えば、ユーザ端末でリンク情報が登録されたコンテンツが選択されることにより、リンク登録部３１２は、ユーザ端末から選択されたコンテンツの識別子情報を受信してもよい。リンク登録部３１２は、受信したコンテンツの識別子情報とマッチングされているリンク情報の識別子情報をデータベースから検索してもよい。これにより、情報生成部３１４は、検索されたリンク情報の識別子情報とマッチングされているリンク登録者の端末のＩＤをデータベースから検索し、前記受信したコンテンツの識別子情報とマッチングされているコンテンツ作成者の端末のＩＤをデータベースから検索してもよい。また、情報生成部３１４は、前記リンク登録者の端末のＩＤに基づいて前記生成された課金情報をリンク登録者の端末に提供し、前記コンテンツ作成者の端末のＩＤに基づいて前記生成された報酬情報をコンテンツ作成者の端末に提供してもよい。
【００８８】
このように、リンク登録サービスシステム３００は、コンテンツに登録されたリンク情報を通じて外部ページに流入したユーザによって発生する収益をコンテンツ作成者と共有することができる。収益を共有することにより、コンテンツ作成者は、ＳＮＳに登録したイメージ、動画、ミュージックビデオなどのコンテンツによって付加的な利益を得ることができ、リンク登録者は、リンク情報を登録するために別途でコンテンツを作成するという苦労を減らすことができる。
【００８９】
本発明の実施形態に係る方法は、多様なコンピュータシステムによって実行可能なプログラム命令の形態で実現され、コンピュータで読み取り可能な媒体に記録されてもよい。
【００９０】
本実施形態に係るプログラムは、ＰＣ基盤のプログラムまたはモバイル端末専用のアプリケーションで構成されてもよい。本実施形態におけるサービスアプリは、独立に動作するプログラム形態で実現されてもよいし、特定のアプリケーションのイン−アプリ（ｉｎ−ａｐｐ）形態で構成され、前記特定のアプリケーション上で動作可能なように実現されてもよい。
【００９１】
また、本発明の実施形態に係る方法は、サービスアプリケーションがコンテンツ作成者の端末、リンク登録者の端末、ユーザ端末を制御して実行されてもよい。このようなアプリケーションは、ファイル配布システムが提供するファイルを通じて、前記サービスアプリケーションがコンテンツ作成者の端末、リンク登録者の端末、ユーザ端末にインストールされてもよい。一例として、ファイル配布システムは、アプリケーションがコンテンツ作成者の端末、リンク登録者の端末、ユーザ端末の要請にしたがって前記ファイルを送信するファイル送信部（図示せず）を備えてもよい。
【００９２】
図１１は、本発明の一実施形態における、コンピュータシステムの内部構成の一例を説明するためのブロック図である。コンピュータシステム１１００は、少なくとも１つのプロセッサ１１１０、メモリ１１２０、周辺装置インタフェース（ｐｅｒｉｐｈｅｒａｌ  ｉｎｔｅｒｆａｃｅ）１１３０、入力／出力サブシステム（Ｉ／Ｏ  ｓｕｂｓｙｓｔｅｍ）１１４０、電力回路１１５０、および通信回路１１６０を少なくとも備えてよい。ここで、コンピュータシステム１１００は、ユーザ端末に該当してよい。
【００９３】
メモリ１１２０は、一例として、高速ＲＡＭ、磁気ディスク、ＳＲＡＭ、ＤＲＡＭ、ＲＯＭ、フラッシュメモリ、または不揮発性メモリを含んでよい。メモリ１１２０は、コンピュータシステム１１００の動作に必要なソフトウェアモジュール、命令語集合、またはその他にも多様なデータを含んでよい。ここで、プロセッサ１１１０や周辺装置インタフェース１１３０などの他のコンポーネントからメモリ１１２０へのアクセスは、プロセッサ１１１０によって制御されてよい。
【００９４】
周辺装置インタフェース１１３０は、コンピュータシステム１１００の入力周辺装置および／または出力周辺装置をプロセッサ１１１０およびメモリ１１２０に結合させてよい。プロセッサ１１１０は、メモリ１１２０に格納されたソフトウェアモジュールまたは命令語集合を実行し、コンピュータシステム１１００のための多様な機能を実行してデータを処理してよい。
【００９５】
入力／出力サブシステム１１４０は、多様な入力／出力周辺装置を周辺装置インタフェース１１３０に結合させてよい。例えば、入力／出力サブシステム１１４０は、モニタやキーボード、マウス、プリンタ、または必要に応じてタッチスクリーンやセンサなどの周辺装置を周辺装置インタフェース１１３０に結合させるためのコントローラを含んでよい。他の側面によると、入力／出力周辺装置は、入力／出力サブシステム１１４０を介さずに周辺装置インタフェース１１３０に結合されてもよい。
【００９６】
電力回路１１５０は、端末機のコンポーネントの全部または一部に電力を供給してよい。例えば、電力回路１１５０は、電力管理システム、バッテリや交流（ＡＣ）などのような１つ以上の電源、充電システム、停電検出回路（ｐｏｗｅｒ  ｆａｉｌｕｒｅ  ｄｅｔｅｃｔｉｏｎ  ｃｉｒｃｕｉｔ）、電力変換器やインバータ、電力状態表示子、または電力生成、管理、分配のための任意の他のコンポーネントを含んでよい。
【００９７】
通信回路１１６０は、少なくとも１つの外部ポートを利用して他のコンピュータシステムとの通信を可能にしてよい。または、上述したように、必要に応じて、通信回路１１６０はＲＦ回路を含み、電磁信号（ｅｌｅｃｔｒｏｍａｇｎｅｔｉｃ  ｓｉｇｎａｌ）とも知られているＲＦ信号を送受信することにより、他のコンピュータシステムとの通信を可能にしてもよい。
【００９８】
このような図１１の実施形態は、コンピュータシステム１１００の一例に過ぎず、コンピュータシステム１１００は、図１１に示されたコンポーネントの一部が除去されてもよいし、図１１には示されていない追加のコンポーネントをさらに備えてもよいし、２つ以上のコンポーネントを結合させる構成または配置を有してもよい。例えば、モバイル環境の通信端末のためのコンピュータシステムは、図１１に示されたコンポーネントの他にも、タッチスクリーンやセンサなどをさらに備えてもよく、通信回路１１６０には、多様な通信方式（ＷｉＦｉ（登録商標）、３Ｇ、ＬＴＥ、Ｂｌｕｅｔｏｏｔｈ（登録商標）、ＮＦＣ、Ｚｉｇｂｅｅ（登録商標）など）のＲＦ通信のための回路が備えられてもよい。コンピュータシステム１１００に含めることができるコンポーネントは、１つ以上の信号処理またはアプリケーションに特化した集積回路を含むハードウェア、ソフトウェア、またはハードウェアとソフトウェアとの組み合わせによって実現されてよい。
【００９９】
上述したコンテンツにリンク情報を登録するサービス方法は、図１〜図１１を参照しながら説明した詳細な内容を土台としてより短縮された動作または追加される動作を含んでもよい。また、２つ以上の動作が組み合わされてもよく、動作の順序や位置が変更されてもよい。
【０１００】
本発明の実施形態に係る方法は、多様なコンピュータシステムによって実行可能なプログラム命令の形態で実現され、コンピュータで読み取り可能な媒体に記録されてもよい。
【０１０１】
このように、本発明の実施形態によると、コンテンツ作成者の端末からアップロードされたコンテンツにリンク登録者の端末から要請されたリンク情報を登録し、リンク情報が登録されているか否かが表示されないように、リンク情報が登録されているコンテンツとリンク情報が登録されていないコンテンツを同じように表示することにより、リンク情報が登録されたコンテンツのサービス品質を維持することができる。
【０１０２】
上述した装置は、ハードウェア構成要素、ソフトウェア構成要素、および／またはハードウェア構成要素とソフトウェア構成要素との組み合わせによって実現されてもよい。例えば、実施形態で説明された装置および構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサ、または命令を実行して応答することができる様々な装置のように、１つ以上の汎用コンピュータまたは特殊目的コンピュータを利用して実現されてもよい。処理装置は、オペレーティングシステム（ＯＳ）およびＯＳ上で実行される１つ以上のソフトウェアアプリケーションを実行してよい。また、処理装置は、ソフトウェアの実行に応答し、データにアクセスし、データを格納、操作、処理、および生成してもよい。理解の便宜のために、１つの処理装置が使用されるとして説明される場合もあるが、当業者は、処理装置が複数の処理要素（ｐｒｏｃｅｓｓｉｎｇ  ｅｌｅｍｅｎｔ）および／または複数種類の処理要素を含んでもよいことが理解できるであろう。例えば、処理装置は、複数のプロセッサまたは１つのプロセッサおよび１つのコントローラを含んでもよい。また、並列プロセッサ（ｐａｒａｌｌｅｌ  ｐｒｏｃｅｓｓｏｒ）のような、他の処理構成（ｐｒｏｃｅｓｓｉｎｇ  ｃｏｎｆｉｇｕｒａｔｉｏｎ）も可能である。
【０１０３】
ソフトウェアは、コンピュータプログラム、コード、命令、またはこれらのうちの１つ以上の組み合わせを含んでもよく、所望するとおりに動作するように処理装置を構成したり、独立的または集合的に（ｃｏｌｌｅｃｔｉｖｅｌｙ）処理装置に命令したりしてよい。ソフトウェアおよび／またはデータは、処理装置に基づいて解釈されたり、処理装置に命令またはデータを提供したりするために、ある種類の機械、コンポーネント、物理装置、仮想装置（ｖｉｒｔｕａｌ  ｅｑｕｉｐｍｅｎｔ）、コンピュータ格納媒体または装置、または送信される信号波（ｓｉｇｎａｌ  ｗａｖｅ）に永久的または一時的に具現化（ｅｍｂｏｄｙ）されてもよい。ソフトウェアは、ネットワークによって接続されたコンピュータシステム上に分散され、分散された態様で格納されても実行されてもよい。ソフトウェアおよびデータは、１つ以上のコンピュータで読み取り可能な記録媒体に格納されてもよい。
【０１０４】
実施形態に係る方法は、多様なコンピュータ手段によって実行可能なプログラム命令の形態で実現されてコンピュータで読み取り可能な媒体に記録されてもよい。前記コンピュータで読み取り可能な媒体は、プログラム命令、データファイル、データ構造などを単独でまたは組み合わせて含んでもよい。前記媒体に記録されるプログラム命令は、実施形態のために特別に設計されて構成されたものであってもよいし、コンピュータソフトウェア当業者に公知な使用可能なものであってもよい。コンピュータで読み取り可能な記録媒体の例としては、ハードディスク、フロッピディスク、磁気テープのような磁気媒体、ＣＤ−ＲＯＭ、ＤＶＤのような光媒体、フロプティカルディスク（ｆｌｏｐｔｉｃａｌ  ｄｉｓｋ）のような光磁気媒体、およびＲＯＭ、ＲＡＭ、フラッシュメモリなどのようなプログラム命令を格納して実行するように特別に構成されたハードウェア装置が含まれる。プログラム命令の例は、コンパイラによって生成されるもののような機械語コードだけではなく、インタプリタなどを使用してコンピュータによって実行される高級言語コードを含む。上述したハードウェア装置は、実施形態の動作を実行するために１つ以上のソフトウェアモジュールとして動作するように構成されてもよく、その逆も同じである。
【０１０５】
以上のように、実施形態を、限定された実施形態と図面に基づいて説明したが、当業者であれば、上述した記載から多様な修正および変形が可能である。例えば、説明された技術が、説明された方法とは異なる順序で実行されたり、かつ／あるいは、説明されたシステム、構造、装置、回路などの構成要素が、説明された方法とは異なる形態で結合されたりまたは組み合わされたり、他の構成要素または均等物によって対置されたり置換されたとしても、適切な結果を達成することができる。
【０１０６】
したがって、異なる実施形態であっても、特許請求の範囲と均等なものであれば、添付される特許請求の範囲に属する。
【符号の説明】
【０１０７】
１００：リンク登録サービスシステム
１１０：コンテンツ作成者の端末
１２０：リンク登録者の端末
１３０：ユーザ端末
【図１】
0006275189.tif 000002
【図２】
0006275189.tif 000003
【図３】
0006275189.tif 000004
【図４】
0006275189.tif 000005
【図５】
0006275189.tif 000006
【図６】
0006275189.tif 000007
【図７】
0006275189.tif 000008
【図８】
0006275189.tif 000009
【図９】
0006275189.tif 000010
【図１０】
0006275189.tif 000011
【図１１】
0006275189.tif 000012